(57)【要約】【課題】  管理装置から複数の検知装置へ信号を送信したときであっても、信号の混信を抑制することができる無線式セキュリティシステムを提供する。【解決手段】  それぞれ異なるＩＤを付加した複数の信号を、無線で送信する管理装置１１と、それぞれ固有のＩＤ及び固有のタイミング情報が保持され、前記管理装置１１から送信された前記ＩＤを付加した複数の信号のうち、前記固有のＩＤを付加した信号を受信し、前記固有のタイミング情報に基づいたタイミングで、前記固有のＩＤを付加した信号を、無線で前記管理装置１１に送信する複数の検知装置１２とを具備した無線式セキュリティシステムである。【選択図】  図１
2005085131.tif 000002
【特許請求の範囲】
【請求項１】
それぞれ異なるＩＤを付加した複数の信号を、無線で送信する管理装置と、
それぞれ固有のＩＤ及び固有のタイミング情報が保持され、前記管理装置から送信された前記ＩＤを付加した複数の信号のうち、前記固有のＩＤを付加した信号を受信し、前記固有のタイミング情報に基づいたタイミングで、前記固有のＩＤを付加した信号を、無線で前記管理装置に送信する複数の検知装置と、
を具備した無線式セキュリティシステム。
【請求項２】
前記管理装置は、複数の前記固有のＩＤを付加した信号を送信したとき、複数の前記検知装置から、それぞれ異なるタイミングで、信号を無線受信することを特徴とする請求項１に記載の無線式セキュリティシステム。
【請求項３】
複数の前記検知装置は、複数の前記固有のＩＤを付加した信号を受信したとき、前記管理装置へ、それぞれ異なるタイミングで、信号を無線送信することを特徴とする請求項１または請求項２に記載の無線式セキュリティシステム。
【請求項４】
前記検知装置は、前記固有のＩＤを保持するＩＤ保持回路と、送信する前記タイミングを制御するタイマーを有していることを特徴とする請求項１乃至３のいずれか１項に記載の無線式セキュリティシステム。
【請求項５】
前記検知装置は、前記固有のＩＤを保持するＩＤ保持回路と、送信する前記タイミングを制御するタイマーと、前記ＩＤ保持回路に保持されたＩＤ及び前記タイミング情報の前記タイミングを変更する書き込み回路と、
を有していることを特徴とする請求項１乃至３のいずれか１項に記載の無線式セキュリティシステム。
【請求項６】
ＩＤが付加された信号を送受信可能なアンテナと、
送信または受信のモードを切り替える送受信切替回路と、
前記アンテナからの信号を、前記送受信切替回路を介して受信する受信回路と、
固有のＩＤを保持するＩＤ保持回路と、
前記ＩＤ保持回路に保持された前記固有のＩＤと前記受信回路で受信した信号に付加されたＩＤを照合するＩＤ照合回路と、
検知を行うセンサーと、
前記センサーによって検知された結果と前記ＩＤ保持回路に保持されたＩＤとを合成した検知情報を生成する送信データ合成回路と、
前記検知情報からなる信号を送信する送信回路と、
固有のタイミング情報を保持し、前記タイミング情報に基づいたタイミングで前記検知情報を送信するように、前記送信回路及び送受信切替回路を制御するタイマーと、
を具備した無線式セキュリティシステムの検知装置。
【請求項７】
前記ＩＤが付加された信号は、前記センサーにより得られた外部の情報の送信を求める送信指令であることを特徴とする請求項６に記載の無線式セキュリティシステムの検知装置。
【請求項８】
前記ＩＤ保持回路に保持されたＩＤ及び前記タイミング情報の前記タイミングを変更する書き込み回路をさらに具備したことを特徴とする請求項６に記載の無線式セキュリティシステムの検知装置。
【請求項９】
前記ＩＤが付加された前記信号は、外部の情報の送信を求める送信指令、または、前記
検知装置に固有の前記ＩＤまたは前記タイミング情報を変更するよう求める変更指令であることを特徴とする請求項８に記載の無線式セキュリティシステムの検知装置。
【請求項１０】
固有のＩＤ及びタイミング情報が保持された検知装置を受信モードに切り替えるステップと、
管理装置から送信された、ＩＤを付加した信号が、前記検知装置の検知情報に対する送信指令であるか判定するステップと、
前記ＩＤを付加した信号が送信指令の場合、前記検知装置の固有のＩＤと前記前記固有のＩＤと前記管理装置から送信されたＩＤが一致しているか判定するステップと、
前記固有のＩＤと前記送信されたＩＤが一致した場合、前記検知装置内のタイマーのカウントをスタートするステップと、
前記検知装置内のセンサーにより、検知情報を読み取るステップと、
前記タイミング情報に基づいたタイミングに関連して、前記検知装置を送信モードに切り替えるステップと、
前記検知装置の固有のＩＤを付加した前記検知情報を前記管理装置へ送信するステップと、
を具備した無線式セキュリティシステムの制御方法。
【請求項１１】
管理装置を送信モードに切り替えるステップと、
検知装置の検知情報に対する、前記管理装置からの送信指令を、前記検知装置の固有のＩＤを付加して送信するステップと、
前記送信指令を送信した後、前記管理装置を受信モードに切り替えるステップと、
所定の待ち時間を超過しているかを判定するステップと、
前記待ち時間を超過していない場合、前記検知情報が受信されたかを判定し、受信された場合には、前記ＩＤと一致するＩＤが付加された前記検知情報か判定し、
前記待ち時間を超過している場合、前記ＩＤを保持した前記検知装置の異常を警報するステップと、
を具備した無線式セキュリティシステムの制御方法。
【請求項１２】
前記所定の待ち時間を超過している場合、
前記管理装置を、再度、送信モードに切り替えるステップと、
検知装置の検知情報に対する、前記管理装置からの送信指令を、前記検知装置の固有のＩＤを付加して、再度、送信するステップと、
前記送信指令を送信した後、前記管理装置を受信モードに、再度、切り替えるステップと、
所定の待ち時間を超過しているか、再度、判定するステップを行い、
判定しても、前記した所定の待ち時間を超過している場合、前記ＩＤを内蔵した前記検知装置の異常を警報するステップとをさらに含む請求項１１に記載の無線式セキュリティシステムの制御方法。
【請求項１３】
管理装置を送信モードに切り替えるステップと、
複数の検知装置のそれぞれの検知情報に対する、前記管理装置からの送信指令を、前記検知装置のそれぞれ固有のＩＤを付加して、送信するステップと、
前記送信指令を送信した後、前記管理装置を受信モードに切り替えるステップと、
所定の待ち時間を超過しているかを判定するステップと、
超過していない場合、前記検知情報が受信されたかを判定し、受信された場合には、送信指令を送信するときに付加した前記ＩＤのうちのいずれかと一致するＩＤが付加された前記検知情報かを判定し、
超過している場合、送信指令を送信するときに付加した前記ＩＤのうち、前記検知情報を受信しなかった前記ＩＤを有する検知装置の異常を警報するステップと、
を具備した無線式セキュリティシステムの制御方法。
【請求項１４】
固有のＩＤ及びタイミング情報が保持された検知装置を受信モードに切り替えるステップと、
管理装置から送信された信号に付加されたＩＤと前記検知装置の固有のＩＤとが一致しているかを判定するステップと、
前記付加されたＩＤと前記固有のＩＤが一致した場合、前記信号が、前記検知装置のＩＤまたはタイミング情報に対する変更指令であるかを判定するステップと、
前記ＩＤの変更指令であった場合、前記検知装置のＩＤ保持回路に保持されたＩＤを書き込み回路によって、変更するステップと、
前記タイミング情報の変更指令であった場合、前記検知装置のタイマーに保持されたタイミング情報を書き込み回路によって、変更するステップと、
を具備した無線式セキュリティシステムの制御方法。
【発明の詳細な説明】
【技術分野】
【０００１】
本発明は、管理装置と検知装置の間で信号の送受信を行う無線式セキュリティシステム、その検知装置及び制御方法に関する。
【背景技術】
【０００２】
家庭や事務所等で利用されるセキュリティシステムは、家庭内や事務所内等の屋内に複数の検知装置を設置し、各検知装置のセンサーによって検知された情報を、管理装置で収集し、集中管理している。検知装置には、それぞれＩＤが内蔵されており、管理装置から送信される指令には、そのＩＤが指定されている。管理装置が検知装置から情報収集を行う場合は、管理装置がＩＤを指定した送信指令を送信し、指定されたＩＤを内蔵している検知装置が報告回答として検知情報を送信することによって行う。この場合、所定の待ち時間内に、指定されたＩＤを内蔵している検知装置から検知情報が送信されないと、管理装置は、その検知装置の異常を警報し、情報収集業務を終了する。管理装置と検知装置の送受信は、シリアル交信で行われる。この種のセキュリティシステムは、特許文献１に記載されている。
【特許文献１】特開平６−２２９１５４号公報（第２頁−第４頁）
【発明の開示】
【発明が解決しようとする課題】
【０００３】
管理装置から複数のＩＤを指定して指令を送信すると、複数の回答が送信されるため、混信が発生し、異常などの情報を収集できないという問題があった。
【０００４】
本発明は、上記した問題点を解決すべくなされたもので、管理装置から複数の検知装置へ信号を送信したときであっても、信号の混信を抑制することができる無線式セキュリティシステム、その検知装置及び制御方法を提供することを目的とする。
【課題を解決するための手段】
【０００５】
上記した目的を達成するため、本発明の無線式セキュリティシステムの一態様は、それぞれ異なるＩＤを付加した複数の信号を、無線で送信する管理装置と、
それぞれ固有のＩＤ及び固有のタイミング情報が保持され、前記管理装置から送信された前記ＩＤを付加した複数の信号のうち、前記固有のＩＤを付加した信号を受信し、前記固有のタイミング情報に基づいたタイミングで、前記固有のＩＤを付加した信号を、無線で前記管理装置に送信する複数の検知装置と、
を具備している。
【０００６】
また、本発明の無線式セキュリティシステムの制御方法の一態様は、固有のＩＤ及びタイミング情報が保持された検知装置を受信モードに切り替えるステップと、
管理装置から送信された、ＩＤを付加した信号が、前記検知装置の検知情報に対する送信指令であるかを判定するステップと、
前記ＩＤを付加した信号が送信指令の場合、前記検知装置の固有のＩＤと前記前記固有のＩＤと前記管理装置から送信されたＩＤが一致しているかを判定するステップと、
前記固有のＩＤと前記送信されたＩＤが一致した場合、前記検知装置内のタイマーのカウントをスタートするステップと、
前記検知装置内のセンサーにより、検知情報を読み取るステップと、
前記タイミング情報に基づいたタイミングに関連して、前記検知装置を送信モードに切り替えるステップと、
前記検知装置の固有のＩＤを付加した前記検知情報を前記管理装置へ送信するステップと、
を具備している。
【発明の効果】
【０００７】
本発明によれば、管理装置から複数の検知装置へ信号を送信したときであっても、信号の混信を抑制することができる。
【発明を実施するための最良の形態】
【０００８】
（第１の実施の形態）
図１乃至図１１を参照して本発明の第１の実施の形態に係る無線式セキュリティシステムを説明する。図１は、本実施の形態による無線式セキュリティシステムの構成を概略的に示す。このセキュリティシステムは、管理装置１１と検知装置１２から構成されている。管理装置１１には、電源１３が内蔵され、電源１３から管理用制御装置１４に電力が供給されている。管理用制御装置１４は、アンテナ１５を経由して、検知装置１２に現在の情報について送信するよう、送信指令を送信する。管理装置１１から送信される指令には、識別情報（以下、「ＩＤ」という）が指定されており、各検知装置１２には、それぞれ固有のＩＤと固有のタイミング情報がＩＤ保持回路１８及び検知用制御装置１７に保持されている。検知装置１２には、電源１６が内蔵され、電源１６から検知用制御装置１７及びＩＤ保持回路１８に電力が供給されている。検知用制御装置１７は、アンテナ１９を経由して、管理装置１１から送信された送信指令を受信し、ＩＤ保持回路１７に保持されているＩＤと、指令で指定されているＩＤの照合を行う。検知装置１２の現在の外部の情報について、センサー２０の出力を読み取り、管理装置１１へ報告を送信する。
【０００９】
このセキュリティシステムでは、図２に示すように、屋内に、管理装置１１と複数の検知装置１２が配置されている。管理装置１１と複数の検知装置１２間の交信は、無線で行われるため、配線は不要である。
【００１０】
図３を用いて、管理装置１１から送信指令を受信し、検知した検知情報を送信するときの検知装置１２の動作フローを説明する。
【００１１】
まず、ステップＳ１において、検知装置１２が自身を受信モードに切り替え、後述する図４に示されたセンサー制御回路２５及びセンサー２０への電力供給を停止し、カウンタを‘０’に設定するなどの初期条件を設定する。次に、ステップＳ２において、管理装置１１から検知情報に関する送信指令を受信したかどうか判定を行う。受信した場合は、ステップＳ３において、ＩＤ保持回路１８に保持されているＩＤと、指令で指定されているＩＤの照合を行う。その結果、ＩＤが一致しない場合は、自分に対する指令ではないため、指令を無視し、何も行わずに次の指令を待つ。一方、ＩＤが一致した場合は、自分に対する指令であるため、ステップＳ４において、検知用制御装置１７内に内蔵された後で述べるタイマーのカウントをスタートさせる。各検知装置１２のタイマーには、それぞれ固有のタイミング情報が保持されている。タイミング情報とは、送受信のタイミングに関する情報であり、例えば、送信指令を受信してから、報告を送信するまでの応答時間ｔ秒などである。続いて、ステップＳ５において、後述する図４に示されたセンサー制御回路２５及びセンサー２０へ電力を供給し、各種センサー毎に定められた電圧条件や電流条件を満たすように、所定の回路を動作させて、測定条件を設定する。ステップＳ６において、検知装置１２内のセンサー２０の出力を読み取る。このセンサー２０の出力情報は、検知装置１２のＩＤとともに、検知情報として管理装置１１へ送信される。ステップ７（Ｓ−７）において、タイミング情報内の応答時間ｔ秒を超過しているか判定し、タイミングｔ秒になったら、ステップＳ８において、検知装置１２を送信モードに切り替え、続いて、ステップＳ９において、アンテナ１９を経由して、検知情報を管理装置１１へ送信する。
送信した後は、再び、検知装置１２を受信モードに切り替え、検知用制御装置１７内の回路の電源をオフ（またはスタンバイ）状態にして、次の指令を待つ。電源１３，１６の供給源は、ＡＣ１００Ｖの電灯線や電池、バッテリ等があるが、電池やバッテリを用いた場合は、配線が不要である。よって、電池やバッテリを用いた場合は、任意の場所に管理装置１１及び検知装置１２を設置することができるため、好ましい。また、電池やバッテリは容量が限られているが、次の指令を待つ間、回路の電源をオフ（またはスタンバイ）状態にすることによって、省電力に効果があり、電源の寿命を延ばすことができる。受信判定（Ｓ２）とＩＤ照合（Ｓ３）は、順序を入れ替えて、行うことも可能である。
【００１２】
図４に、図１に示した検知装置１２内の検知用制御装置１７のブロック図を示す。検知装置１２は、送信・受信切替回路２１によって、受信モードに切り替えられており、管理装置１１からの送信指令をアンテナ１９及び送信・受信切替回路２１を経由して受信回路２２で読み取る。読み取られた信号は、ＩＤ照合回路２３に送られ、ＩＤ保持回路１８に保持されたＩＤと、指令で指定されているＩＤとの照合を行う。ＩＤが一致した場合には、タイマー２４のカウントをスタートさせ、それと同時に、信号はセンサー制御回路２５に送られる。センサー制御回路２５は、センサー２０への測定条件をセットし、センサー出力の測定結果からなる出力情報は、送信データ合成回路２６に送られる。また、ＩＤ保持回路１８に保持されているＩＤも、同様に送信データ合成回路２６に送られる。タイマー２４のカウントを終了すると、送信データ合成回路２６は、ＩＤ保持回路１８から得たＩＤと、センサーの出力情報を合成して、検知情報として送信回路２７に送り、同時に、送信・受信切替回路２１を送信モードに切り替える。送信回路２７に送られた検知情報は、送信・受信切替回路２１及びアンテナ１９を経由して、管理装置１１に送信される。
【００１３】
図５に、図４に示したＩＤ照合回路２３の回路例を示す。ＩＤは、簡略化のために４ビットで記載するが、個々の検知装置１２で固有のＩＤを有している必要があるため、ＩＤのビット数は、２進数で、検知装置１２の台数分をカバーするように設けられている必要がある。図５に示すようにシリアルイン／パラレルアウト（Ｓｅｒｉａｌ−ｉｎ／Ｐａｒａｌｌｅｌ−ｏｕｔ）のシフトレジスタ３１を有しており、受信回路２２からの送信指令のデータ信号とクロック信号が入力される。これらの信号は、シフトレジスタ３１のデータ入力端子ＤＴ及びクロック入力端子ＣＫに入力される。受信回路２２からデータ入力端子に、送信指令で指定されたＩＤに関する信号が取り込まれると、ＩＤ保持回路１８のＩＤと送信指令で指定されたＩＤとの比較を行う。この比較は、４つのイクスクルシブＯＲ回路３２で行われる。イクスクルシブＯＲ回路３２は、２つの入力信号の比較を行い、２つの入力信号が同じであれば、‘０’を出力し、異なっていれば、‘１’をセンサー制御回路２５等へ出力する。つまり、４ビットとも一致していれば、４つのイクスクルシブＯＲ回路３２は、全て‘０’を出力する。４つのイクスクルシブＯＲ回路３２の出力は、全てＮＯＲ回路３３に入力される。ＮＯＲ回路３３は、複数の入力信号の比較を行い、入力信号が全て‘０’のときに、出力Ｑとして‘１’を出力する。したがって、ＩＤが４ビットとも一致していれば、‘１’が出力される。
【００１４】
次に、図６に、図４に示したセンサー制御回路２５の回路例を示す。センサー２０は、図６に示すフォトトランジスタ４１を有しており、フォトトランジスタ４１のベースは、センサー２０の図示しない受光装置に接続されている。また、フォトトランジスタ４１のコレクタは、センサー制御回路２５の入力端子に接続されており、抵抗４２を介して電源に接続されるとともに、トランジスタ４３のベースに接続されている。フォトトランジスタ４１のエミッタは、センサー制御回路２５内のグランドに接地されている。トランジスタ４３のコレクタは、センサー制御回路２３の出力端子に接続されており、抵抗４４を介して電源に接続されるとともに、エミッタは、グランドに接地されている。センサー制御回路２５の出力端子から出力された信号は、送信データ合成回路２６に送られる。
【００１５】
続いて、センサー制御回路２５の動作について、説明する。フォトトランジスタ４１は、一般に、受光しないとコレクタ−エミッタ間に電流が流れないが、受光すると電流が流れる。また、トランジスタ４３は、一般に、ベースからエミッタにベース電流が流れると、トランジスタがオン状態になり、コレクタ−エミッタ間に、ベース電流よりも１桁以上大きな電流が流れる。
【００１６】
まず、フォトトランジスタ４１に光が入ってこない場合を考える。この場合、フォトトランジスタ４１のコレクタ−エミッタ間に電流が流れないので、抵抗４２を経由した電流は、そのままトランジスタ４３のベースに流れ込む。トランジスタ４３のベースに電流が流れ込むと、トランジスタ４３がオン状態になり、コレクタ−エミッタ間に電流が流れるため、抵抗４４に大きな電流が流れ、トランジスタ４３のコレクタの電位は‘０Ｖ’に近くなる。したがって、センサー制御回路２５の出力端子から出力される信号は、‘０’に近い信号になる。
【００１７】
一方、フォトトランジスタ４１に光が入ってきた場合を考える。この場合、フォトトランジスタ４１のコレクタ−エミッタ間に電流が流れるので、抵抗４２を経由した電流は、トランジスタ４３のベースに流れ込まずに、グランドに流れる。よって、トランジスタ４３のコレクタ−エミッタ間に、電流が流れなくなり、コレクタの電位は電源電位に近くなる。したがって、センサー制御回路２５の出力端子から出力される信号は、‘１’に近い信号になる。
【００１８】
次に、図７に、図４に示した送信データ合成回路２６の回路例を示す。図７に示すように、パラレルイン／シリアルアウト（Ｐａｒａｌｌｅｌ−ｉｎ／Ｓｅｒｉａｌ−ｏｕｔ）のシフトレジスタ５１を有しており、ＩＤ保持回路１８及びセンサー制御回路２５からの出力信号が入力される。これらの出力信号は、シフトレジスタ５１のＡ，Ｂ，Ｃ，Ｄ，Ｅ入力端子に入力される。また、シフトレジスタ５１は、ロード入力端子Ｌに入力信号‘０’が入力されると、信号を取り込み、保持することができる。さらに、ロード入力端子Ｌに入力信号‘１’が入力され、かつ、クロック入力端子ＣＫにパルスを入力すると、パルスの立ち上がりのタイミングに同期してＥ，Ｄ，Ｃ，Ｂ，Ａ各入力端子から取り込んだ信号が、その順番でＱＥ出力端子から出力される。すなわち、ＩＤを表すＡ，Ｂ，Ｃ，Ｄ各信号と、センサー２０の出力信号の順に出力される。このように、センサー２０の出力信号を記憶しておき、タイマー２４のカウント終了した時点で、クロック入力端子ＣＫにパルスを５つ入力すると、ＩＤとセンサー２０の出力情報が送信回路に出力される。
【００１９】
次に、図８に、検知装置に送信指令を送信し、検知装置で検知した検知情報を受信するときの管理装置の動作フローを説明する。
【００２０】
まず、ステップＳ２１において、オペレータまたは管理装置１１を制御する機器が管理装置１１を送信モードに切り替える。これにより、ステップＳ２２において、管理装置１１は、検知装置１２に、検知情報の送信指令を送信する。送信指令では、ＩＤが指定されている。送信指令を送信した後は、ステップＳ２３において、受信モードに切り替えて、検知装置１２からの検知情報の報告を待つ。ステップＳ２４において、所定の待ち時間を超過しているか判定し、超過していない場合は、ステップＳ２５において、検知情報を入手したか判定する。ここで、所定の待ち時間とは、センサーからの測定結果報告を待つために設定された時間であり、例えば０．３秒である。検知情報を入手していない場合は、Ｓ２４に戻り、所定の待ち時間を超過しているか判定する。検知情報を入手した場合は、ステップＳ２６において、指令を下した検知装置１２からの報告かどうかを判定するため、ＩＤの照合を行う。指令を下した検知装置１２のＩＤと一致しない場合は、報告を無視し、別の検知装置１２の、検知情報の報告を待つ。所定の待ち時間を経過してもなお、報告がない場合には、ステップＳ２７において、指令を下した検知装置１２の異常を警報し
て、その時点の情報収集動作を終了する。あるいは、所定の待ち時間を経過してもなお、報告がない場合は、再度または再々度、同じ検知装置１２に、同じ送信指令を送信し、報告を待ってもよい。再度または再々度の送信指令に対しても、検知装置からの報告がない場合は、ステップＳ２７において、指令を下した検知装置１２の異常を警報して、その時点の情報収集動作を終了する。指令を下した検知装置１２のＩＤと一致した場合は、収集された検知情報として、管理装置１１に格納され、オペレータによる管理装置１１を用いた情報管理動作で活用される。
【００２１】
ここで、図９に、図１に示した管理装置１１内の管理用制御装置１４のブロック図を示す。検知装置１２へ送信指令を送信するときは、まず、集中制御回路６１から、所定のＩＤを添付した信号を送信回路６２に送る。続いて、送信・受信切替回路６３によって、管理装置１１を送信モードに切り替え、アンテナ１５を経由して送信指令を送信する。管理装置１１から送信指令を送信した後は、受信モードに切り替えて、指定したＩＤの検知装置１２からの報告を待つ。検知装置１２からの検知情報が送信されると、その信号は、アンテナ１５及び送信・受信切替回路６３を経由して受信回路６４で読み取られる。読み取られた信号は、集中制御回路６１に送られ、指令で指定されているＩＤかどうか判定され、収集された検知情報として、集中制御回路６１内に格納される。
【００２２】
本実施の形態によれば、ＩＤを指定した送信指令を管理装置１１から検知装置１２に送信した場合、個々の検知装置１２で決められたタイミング情報に基づいて、検知情報１２が送信される。図１０に、管理装置１１と複数の検知装置１２（各検知装置を１２ａ，１２ｂと表示する。）の送信信号の送信タイミングを示す。個々の検知装置でタイミング情報の応答時間（例えば、ｔ1秒またはｔ2秒）が保持されており、送信回路から送信される検知情報は、ＩＤの照合を行った後に、タイマーをスタートさせ、タイミングを待ってから、送信される。
【００２３】
複数のＩＤを指定した送信指令を、同時に管理装置から検知装置に送信した場合も、個々の検知装置で決められたタイミング情報に基づいて、検知情報が報告される。図１１に、管理装置１１と検知装置１２（各検知装置を１２ａ，１２ｂ，１２ｃ，１２ｄ，１２ｅと表示する。）の送信信号の送信タイミングを示す。送信回路から送信される検知情報は、個々の検知装置で決められたタイミング情報の応答時間（例えば、ｔ1秒，ｔ2秒，ｔ3秒，ｔ4秒，ｔ5秒）待ってから、送信される。
【００２４】
つまり、送信回路から送信される検知情報は、個々の検知装置で決められたタイミング情報の応答時間待ってから、送信されるため、指定したＩＤの検知装置ごとに、検知情報を送信するタイミングが異なるため、混信を抑制することができる。また、所定の検知装置の異常などの情報をより確実に収集することができる。
【００２５】
（第２の実施の形態）
図１２乃至図１６に本発明の第２の実施の形態に係る無線式セキュリティシステムを示す。管理装置７１と複数の検知装置７２の配置は、前述した第１の実施の形態の配置と同じである。図１２に示すように、管理装置７１には、電源７３が内蔵され、電源７３から管理用制御装置７４に電力が供給されている。管理用制御装置７４は、アンテナ７５を経由して、検知装置７２に現在の情報について、報告を行うよう、送信指令を送信する。管理装置７１から送信される指令には、識別情報（以下「ＩＤ」という）が指定されており、各検知装置には、それぞれ固有のＩＤと固有のタイミング情報を有している。検知装置７２は、電源７６が内蔵され、電源７６から検知用制御装置７７及びＩＤ保持回路７８に電力が供給されている。検知用制御装置７７は、アンテナ７９を経由して、管理装置７１から送信された送信指令を受信し、ＩＤ保持回路７８に保持されているＩＤと、指令で指定されているＩＤの照合を行う。検知装置７２の現在の情報について、センサー８０の出
力を読み取り、管理装置７１へ報告を行う。
【００２６】
ＩＤとタイミング情報は、管理装置からの変更指令にしたがって、不揮発性メモリを用いた書き込み回路８１によって、書き換え可能である。ＩＤを変更する場合は、ＩＤ保持回路内のＩＤを変更し、タイミング情報を変更する場合は、後で述べるタイマー内のタイミング設定回路の例えば応答時間を変更する。ＩＤ及びタイミング情報は、家庭内や事務所内などの屋内で、各検知装置によって異なるように、設定変更される。
【００２７】
管理装置７１から送信指令を受信し、検知した検知情報を送信するときの検知装置７２の動作フローは、前述した第１の実施の形態の動作フロー（図３）と同じである。また、検知装置に送信指令を送信し、検知装置７２で検知された検知情報を受信するときの管理装置７１の動作フローも、前述した第１の実施の形態の動作フロー（図８）と同じである。
【００２８】
図１３に、管理装置７１からＩＤ変更指令を受信し、ＩＤを変更するときの検知装置７２の動作フローを示す。
【００２９】
まず、ステップＳ３１において、検知装置７２が自身を受信モードに切り替え、後述する図１５に示されたセンサー制御回路９５及びセンサー８０への電力供給を停止し、カウンタを‘０’に設定するなどの初期条件を設定する。次に、ステップＳ３２において、ＩＤ保持回路７８に保持されているＩＤと、指令で指定されているＩＤの照合を行う。その結果、ＩＤが一致しない場合は、自分に対する指令ではないため、指令を無視し、何も行わずに次の指令を待つ。一方、ＩＤが一致した場合は、自分に対する指令であるため、ステップＳ３３において、管理装置７１からの、検知装置のＩＤの変更指令を受信したかどうか判定を行う。受信した場合は、ステップＳ３４において、書き込み回路８１を用いて、ＩＤ保持回路に新規ＩＤを書き込む。ＩＤの変更指令を受信しなかった場合は、ステップＳ３５において、指令動作を遂行する。
【００３０】
図１４に、管理装置７１からタイミング情報変更指令を受信し、タイミング情報を変更するときの検知装置７２の動作フローを示す。
【００３１】
まず、ステップＳ４１において、検知装置７２が自身を受信モードに切り替え、後述する図１５に示されたセンサー制御回路９５及びセンサー８０への電力供給を停止し、カウンタを‘０’に設定するなどの初期条件を設定する。次に、ステップＳ４２において、ＩＤ保持回路７８に保持されているＩＤと、指令で指定されているＩＤの照合を行う。その結果、ＩＤが一致しない場合は、自分に対する指令ではないため、指令を無視し、何も行わずに次の指令を待つ。一方、ＩＤが一致した場合は、自分に対する指令であるため、ステップＳ４３において、管理装置７１からの、検知装置のタイミング情報の変更指令を受信したかどうか判定を行う。受信した場合は、ステップＳ４４において、書き込み回路８１を用いて、タイマー内のタイミング設定回路へ新規タイミング情報を書き込む。タイミング情報の変更指令を受信しなかった場合は、ステップＳ４５において、指令動作を遂行する。
【００３２】
図１５に、図１２に示した検知装置７２内の検知用制御装置７７のブロック図を示す。検知装置は、送信・受信切替回路９１によって、受信モードに切り替えられ、管理装置からの指令をアンテナ７９及び送信・受信切替回路９１を経由して受信回路９２で読み取る。読み取られた信号は、ＩＤ照合回路９３に送られ、ＩＤ保持回路７８に保持されたＩＤと、指令で指定されているＩＤとの照合を行う。ＩＤが一致した場合には、指令動作について判定し、ＩＤ変更指令であれば、その指令を、不揮発性メモリを用いた書き込み回路８１に送り、ＩＤ保持回路７８に保持されているＩＤを書き換える。指令動作がタイミン
グ情報変更指令であれば、その指令を、不揮発性メモリを用いた書き込み回路８１に送り、タイマー９４内のタイミング設定回路に設定されている応答時間を書き換える。管理装置からの送信指令に対して報告を行うときの検知装置の動作フローは、前記した第１の実施の形態と同じであり、フォトトランジスタ１０１、センサー制御回路９５、送信データ合成回路９６，送信回路９７などの回路は、前記した第１の実施の形態と同様の構成のものを用いることができる。
【００３３】
なお、本実施の形態では、各検知装置のＩＤ及びタイミング情報を管理装置からの変更指令に基づいて、変更可能であるため、各検知装置の購入時は、ＩＤ及びタイミング情報が‘００００’及び‘０’に設定されていてもかまわない。図１６に、各検知装置を購入し、ＩＤが‘００００’すなわち未設定である場合に、ＩＤの変更を行うときの動作フローを示す。
【００３４】
まず、ステップＳ５１において、オペレータが検知装置の電源を入れる。電池及びバッテリを挿入するか、家庭用電源に電源プラグを挿入する。ステップＳ５２において、オペレータが管理装置からＩＤ‘００００’を指定して、ＩＤ変更指令を送信する。続いて、ステップＳ５３において、検知装置は、ＩＤ変更指令を受信し、ＩＤの変更を行う。
【００３５】
このように、製造時（購入時）は、検知装置ごとに、ＩＤとタイミング情報が異なっていないため、製造工程を標準化することができ、スループットを向上させ、コストを低減することができる。
【００３６】
また、本実施の形態によれば、各検知装置のＩＤ及びタイミング情報について、管理装置からの変更指令に基づいて、変更可能であるため、家庭内や事務所内などの屋内にある検知装置に対して、各々独自のＩＤとタイミング情報を設定することが可能となる。つまり、屋内に配置された検知装置の台数に応じて、ＩＤ
やタイミング情報を設定することができるため、ＩＤのビット数を最小限に設定したり、タイミング情報の応答時間を最小限に設定することができる。よって、送信データ作成回路やＩＤ照合回路を簡素化することができ、検知装置を小型化できる。また、送受信時間を短縮することができる。
【００３７】
さらに、本実施の形態によれば、ＩＤを指定した送信指令を管理装置から検知装置に送信した場合、個々の検知装置で決められたタイミング情報に基づいて、検知情報が送信される。よって、指定したＩＤと異なるＩＤを保持した検知装置が、間違えて回答を行った場合でも、検知情報を送信するタイミングが異なるため、混信がおこりにくい。また、所定の検知装置の異常などの情報をより確実に収集することができる。
【００３８】
また、複数のＩＤを指定した送信指令を、同時に管理装置から検知装置に送信した場合も、個々の検知装置で決められたタイミング情報に基づいて、検知情報が報告される。よって、指定したＩＤの検知装置ごとに、検知情報を送信するタイミングが異なるため、混信がおこりにくい。また、所定の検知装置の異常などの情報をより確実に収集することができる。
【００３９】
書き換え可能な不揮発性メモリは、例えば、ＰＲＯＭ（Ｐｒｏｇｒａｍａｂｌｅ  ＲＯＭ），ＯＴＰ（Ｏｎｅ  Ｔｉｍｅ  ＰＲＯＭ），ＥＥＰＲＯＭ（Ｅｌｅｃｔｒｉｃ  Ｅｒａｓａｂｌｅ  ＰＲＯＭ），Ｆｌａｓｈ  ＥＥＰＲＯＭ，Ｎｔｉｍｅ  ＰＲＯＭ，ＦＵＳＥ  ＲＯＭなどであり、特に限定されない。
【図面の簡単な説明】
【００４０】
【図１】本発明の第１の実施の形態に係る無線式セキュリティシステムの概要を示す構成図である。
【図２】本発明の第１の実施の形態に係る無線式セキュリティシステムの屋内における配置状態を示す図である。
【図３】本発明の第１の実施の形態に係る無線式セキュリティシステムの検知情報を送信するときの検知装置の動作フローを示す図である。
【図４】本発明の第１の実施の形態に係る無線式セキュリティシステムの検知装置内の検知用制御装置のブロック図である。
【図５】本発明の第１の実施の形態に係る無線式セキュリティシステムの検知装置の検知用制御装置内のＩＤ照合回路を示す図である。
【図６】本発明の第１の実施の形態に係る無線式セキュリティシステムの検知装置の検知用制御装置内のセンサー制御回路を示す図である。
【図７】本発明の第１の実施の形態に係る無線式セキュリティシステムの検知装置の検知用制御装置内の送信データ合成回路を示す図である。
【図８】本発明の第１の実施の形態に係る無線式セキュリティシステムの検知装置で検知した、検知情報を受信するときの管理装置の動作フローを示す図である。
【図９】本発明の第１の実施の形態に係る無線式セキュリティシステムの管理装置内の管理用制御装置のブロック図である。
【図１０】本発明の第１の実施の形態に係る無線式セキュリティシステムの管理装置と検知装置の送信信号の送信タイミングを示す図である。
【図１１】本発明の第１の実施の形態に係る無線式セキュリティシステムの管理装置と複数の検知装置の送信信号の送信タイミングを示す図である。
【図１２】本発明の第２の実施の形態に係る無線式セキュリティシステムの概要を示す構成図である。
【図１３】本発明の第２の実施の形態に係る無線式セキュリティシステムの検知装置のＩＤを変更するときの検知装置の動作フローを示す図である。
【図１４】本発明の第２の実施の形態に係る無線式セキュリティシステムの検知装置のタイミング情報を変更するときの検知装置の動作フローを示す図である。
【図１５】本発明の第２の実施の形態に係る無線式セキュリティシステムの検知装置内の検知用制御装置のブロック図である。
【図１６】本発明の第２の実施の形態に係る無線式セキュリティシステムの検知装置のＩＤが未設定の場合に、ＩＤを変更するときの、管理装置及び検知装置に対する動作フローを示す図である。
【符号の説明】
【００４１】
１１，７１  管理装置
１２，７２  検知装置
１３，１６，７３，７６  電源
１４，７４  管理用制御装置
１５，１９，７５，７９  アンテナ
１７，７７  検知用制御装置
１８，７８  ＩＤ保持回路
２０，８０  センサー
２１，９１  送信・受信切替回路
２２，９２  受信回路
２３，９３  ＩＤ照合回路
２４，９４  タイマー
２５，９５  センサー制御回路
２６，９６  送信データ合成回路
２７，９７  送信回路
３１，５１  シフトレジスタ
３２  イクスクルシブＯＲ回路
３３  ＮＯＲ回路
４１，１０１  フォトトランジスタ
４２，４４  抵抗
４３  トランジスタ
６１  集中制御回路
６２  送信回路
６３  送信・受信切替回路
６４  受信回路
８１  書き込み回路
【図１】
2005085131.tif 000003
【図２】
2005085131.tif 000004
【図３】
2005085131.tif 000005
【図４】
2005085131.tif 000006
【図５】
2005085131.tif 000007
【図６】
2005085131.tif 000008
【図７】
2005085131.tif 000009
【図８】
2005085131.tif 000010
【図９】
2005085131.tif 000011
【図１０】
2005085131.tif 000012
【図１１】
2005085131.tif 000013
【図１２】
2005085131.tif 000014
【図１３】
2005085131.tif 000015
【図１４】
2005085131.tif 000016
【図１５】
2005085131.tif 000017
【図１６】
2005085131.tif 000018